【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
インベントリコントロールデバイスであって、
遠隔コントロールシステムから関連エネルギ場を有する起動信号を無線で受信し、モード変更信号を出力するよう構成された受動的レシーバであって前記起動信号に伴うエネルギ場によって電力供給されるよう構成された受動的レシーバと、
前記受動的レシーバと結合された機能モジュールであって前記機能モジュールがアクティブモードにあるとき内蔵の電源によって電力供給されるよう構成された機能モジュールと、を備え、
前記機能モジュールは、前記受動的レシーバから前記モード変更信号を受け、前記モード変更信号に応じてインアクティブモードから前記アクティブモードに変わるよう構成され、
前記機能モジュールは、前記インアクティブモードのときよりも前記アクティブモードのときのほうが前記電源からより多くの電力の供給を受ける、インベントリコントロールデバイス。
【請求項２】
前記受動的レシーバはさらにキャパシタと結合された整流回路を含み、
前記整流回路は前記起動信号を前記キャパシタを充電するための直流電流に変換する、請求項１に記載のデバイス。
【請求項３】
前記受動的レシーバは前記キャパシタがしきい値電圧を超えて充電されると前記モード変更信号を出力するよう構成される、請求項２に記載のデバイス。
【請求項４】
前記機能モジュールの前記電源は電池を含む、請求項１に記載のデバイス。
【請求項５】
前記機能モジュールは前記電源と接続されたコントローラを含み、
前記コントローラは前記機能モジュールが前記インアクティブモードにあるときコントローラ低電力モードに置かれ、さらに、
前記コントローラは、前記受動的レシーバから前記モード変更信号を受け、前記モード変更信号に応じて前記コントローラ低電力モードからコントローラ動作モードに変わるよう構成され、
前記コントローラは、前記コントローラ低電力モードのときよりも前記コントローラ動作モードのときのほうが前記電源からより多くの電力の供給を受ける、請求項１に記載のデバイス。
【請求項６】
前記機能モジュールはさらに前記電源と接続されたトランシーバを含み、
前記トランシーバは前記機能モジュールが前記インアクティブモードにあるときトランシーバ低電力モードに置かれ、さらに、
前記トランシーバは、前記モード変更信号に応じて前記トランシーバ低電力モードからトランシーバ動作モードに変わるよう構成され、
前記トランシーバは、前記トランシーバ低電力モードのときよりも前記トランシーバ動作モードのときのほうが前記電源からより多くの電力の供給を受ける、請求項５に記載のデバイス。
【請求項７】
前記コントローラはさらに、前記モード変更信号の受信を示す出力を前記トランシーバに提供するよう構成され、
前記トランシーバは、その出力に応じて、前記トランシーバ低電力モードから前記トランシーバ動作モードに変わる、請求項６に記載のデバイス。
【請求項８】
前記機能モジュールは、
コントローラと、
前記コントローラと前記電源との間に結合されたスイッチと、を含み、
前記コントローラは前記機能モジュールが前記インアクティブモードにあるとき前記スイッチによって前記電源から切り離され、
前記スイッチは、前記受動的レシーバから前記モード変更信号を受け、前記モード変更信号に応じて前記コントローラを前記電源に接続するよう構成される、請求項１に記載のデバイス。
【請求項９】
前記機能モジュールはさらに前記スイッチと結合されたトランシーバを含み、
前記トランシーバは、前記機能モジュールが前記インアクティブモードにあるとき前記スイッチによって前記電源から切り離され、
前記スイッチはさらに、前記モード変更信号に応じて前記トランシーバを前記電源に接続するよう構成される、請求項８に記載のデバイス。
【請求項１０】
前記機能モジュールはさらに、前記機能モジュールが前記アクティブモードにあるとき、前記遠隔コントロールシステムにデータ信号を送信するか、または、前記遠隔コントロールシステムからデータ信号を受信するか、もしくはその両方を行うよう構成される、請求項１に記載のデバイス。
【請求項１１】
前記機能モジュールはさらに、前記モード変更信号を受信してから所与の期間内に無線通信デバイスを示すＩＤ信号を受信しなかった場合、前記インアクティブモードに戻るよう構成される、請求項１に記載のデバイス。
【請求項１２】
前記機能モジュールはさらに、前記無線通信デバイスを示す前記ＩＤ信号を受信してから所与の期間内に前記遠隔コントロールシステムからデータ信号を受信しなかった場合、前記インアクティブモードに戻るよう構成される、請求項１１に記載のデバイス。
【請求項１３】
前記機能モジュールはさらに、前回のデータ信号を受信してから所与の期間内に前記遠隔コントロールシステムから新たなデータ信号を受信しなかった場合、前記インアクティブモードに戻るよう構成される、請求項１２に記載のデバイス。
【請求項１４】
前記機能モジュールは、前記機能モジュールが前記無線通信デバイスを示すＩＤ信号を受信した場合、ユーザに注意を促すための視覚的または聴覚的インジケータの少なくともひとつを含む、請求項１に記載のデバイス。
【請求項１５】
前記インベントリコントロールデバイスはサプライアイテムの在庫を保持するよう構成されたコンテナと結合される、請求項１に記載のデバイス。
【請求項１６】
前記機能モジュールはさらに、前記コンテナに保持される前記在庫を表すデータを発信するよう構成される、請求項１５に記載のデバイス。
【請求項１７】
いつ前記コンテナからひとつ以上のサプライを取り出すか、または、いつ前記コンテナにひとつ以上のサプライを追加するかを示す少なくともひとつのボタンをさらに備える、請求項１５に記載のデバイス。
【請求項１８】
前記機能モジュールは、前記コンテナからひとつ以上のサプライを取り出したこと、または、前記コンテナにひとつ以上のサプライを追加したことを示すデータを、在庫追跡を実行する外部のコンピュータシステムに発信するよう構成される、請求項１７に記載のデバイス。
【請求項１９】
受動的レシーバと機能モジュールとを有するインベントリコントロールデバイスにおいて電池電力を節約する方法であって、
前記受動的レシーバが遠隔コントロールシステムから関連エネルギ場を有する起動信号を受信することと、
前記受動的レシーバが前記起動信号に伴う前記エネルギ場から前記受動的レシーバのための電力を生成することと、
前記受動的レシーバが前記機能モジュールにモード変更信号を送信することと、
前記機能モジュールがインアクティブモードからアクティブモードに変わることであって前記機能モジュールが前記インアクティブモードのときよりも前記アクティブモードのときのほうがより多くの電力を使用することと、
前記機能モジュールが前記アクティブモードにおいて専用機能を実行することと、を含む、方法。
【請求項２０】
前記生成することは、前記起動信号を直流電流（ＤＣ）信号に変換することを含む、請求項１９に記載の方法。
【請求項２１】
前記機能モジュールが前記インアクティブモードから前記アクティブモードに変わることは、コントローラおよびトランシーバのうちの少なくともひとつに前記モード変更信号を提供し、前記コントローラおよびトランシーバのうちの少なくともひとつを低電力モードから動作モードに変えることを含み、
前記コントローラおよびトランシーバのうちの少なくともひとつは前記低電力モードのときよりも前記動作モードのときのほうがより多くの電力を使用し、引き出す、請求項１９に記載の方法。
【請求項２２】
前記機能モジュールが前記インアクティブモードから前記アクティブモードに変わることは、
前記モード変更信号を前記機能モジュールのスイッチの制御入力に提供することであって前記スイッチは電源と接続された電力入力とコントローラおよびトランシーバのうちの少なくともひとつと接続された電力出力とを有することと、
前記スイッチが前記モード変更信号に応じて前記電源と前記コントローラおよびトランシーバのうちの少なくともひとつとを接続することと、を含む、請求項１９に記載の方法。
【請求項２３】
前記機能モジュールが前記専用機能を実行することは、前記機能モジュールが前記遠隔コントロールシステムとの間でサプライアイテムの在庫に関するデータを通信することを含む、請求項１９に記載の方法。
【請求項２４】
前記機能モジュールが前記専用機能を実行することは、前記機能モジュールが、無線通信デバイスの位置を示す視覚的アラートおよび聴覚的アラートのうちの少なくともひとつを提供することを含む、請求項１９に記載の方法。
【請求項２５】
ひとつ以上の所与の条件が満たされた場合、前記機能モジュールを前記インアクティブモードに戻すことをさらに含む、請求項１９に記載の方法。
【請求項２６】
前記ひとつ以上の所与の条件は、前記機能モジュールが、前記モード変更信号を受信してから所与の期間内に前記遠隔コントロールシステムから前記無線通信デバイスを示すＩＤ信号を受信しないことを含む、請求項２５に記載の方法。
【請求項２７】
前記ひとつ以上の所与の条件はさらに、前記機能モジュールが、前記ＩＤ信号を受信してから所与の期間内に前記遠隔コントロールシステムからデータ信号を受信しないことを含む、請求項２６に記載の方法。
【請求項２８】
前記ひとつ以上の所与の条件はさらに、前記機能モジュールが、前回のデータ通信から所与の期間内に前記遠隔コントロールシステムから新たなデータ信号を受信しないことを含む、請求項２７に記載の方法。
【請求項２９】
インベントリコントロールデバイスであって、
受動的レシーバと、機能モジュールと、を備え、
前記受動的レシーバは、
遠隔コントロールシステムから関連エネルギ場を有する起動信号を無線で受信するよう構成された第１アンテナと、
キャパシタと、
前記アンテナと前記キャパシタの間に結合され、前記起動信号を前記キャパシタを充電するための直流電流に変換するよう構成された整流回路と、
前記キャパシタと接続され、前記キャパシタだけから電力供給され、前記キャパシタがしきい値電圧を超えて充電された場合、モード変更信号を出力するよう構成された信号生成器と、を含み、
前記機能モジュールは、
前記遠隔コントロールシステムから、ＩＤデータを含むデータ信号を無線で受信するよう構成された第２アンテナと、
聴覚的インジケータおよび視覚的インジケータの少なくともひとつを含むインジケータと、
内蔵電源と、
前記第２アンテナ、前記インジケータ、前記電源、および前記信号生成器と接続されたコントローラと、を含み、
前記コントローラは、当該インベントリコントロールデバイスを示す記録ＩＤと、当該コントローラが前記第２アンテナによって受信される信号に反応しないインアクティブモードと、前記第２アンテナを通して前記記録ＩＤに一致するＩＤデータを含むデータ信号を受信した際、当該コントローラが前記インジケータを作動させるアクティブモードと、を有し、
前記コントローラは、前記信号生成器から前記モード変更信号を受けたことに反応して、前記インアクティブモードから前記アクティブモードに変わるよう構成され、前記機能モジュールは、前記インアクティブモードのときよりも前記アクティブモードのときのほうが前記電源からより多くの電力の供給を受ける、インベントリコントロールデバイス。
【請求項３０】
前記機能モジュールの前記電源は電池を含む、請求項２９に記載のデバイス。
【請求項３１】
前記機能モジュールはさらに前記電源および前記信号生成器と接続され、低電力モードおよび動作モードをもつトランシーバを含み、
前記トランシーバは、前記モード変更信号の受け取りに反応して前記低電力モードから前記動作モードに変わるよう構成され、
前記トランシーバは、前記低電力モードのときよりも前記動作モードのときのほうが前記電源からより多くの電力の供給を受ける、請求項２９に記載のデバイス。
【請求項３２】
前記信号生成器、前記コントローラ、および前記電源に接続されたスイッチをさらに含み、
前記スイッチは、前記信号生成器から前記モード変更信号を受け取り、前記モード変更信号の受け取りに反応して前記コントローラを前記電源に接続するよう構成される、請求項２９に記載のデバイス。
【請求項３３】
前記機能モジュールはさらに前記スイッチと結合されたトランシーバを含み、
前記スイッチはさらに、前記モード変更信号の受け取りに反応して前記トランシーバを前記電源に接続するよう構成される、請求項３２に記載のデバイス。
【請求項３４】
前記コントローラはさらに、前記コントローラが前記アクティブモードにあるとき、前記遠隔コントロールシステムにデータ信号を送信するか、または、前記遠隔コントロールシステムからデータ信号を受信するか、もしくはその両方を行うよう構成される、請求項２９に記載のデバイス。
【請求項３５】
前記コントローラはさらに、前記起動信号を受信してから第１の所与の期間内に当該インベントリコントロールデバイスを示すＩＤ信号を受信しなかった場合、前記インアクティブモードに戻るよう構成される、請求項２９に記載のデバイス。
【請求項３６】
前記コントローラはさらに、前記ＩＤ信号を受信してから第２の所与の期間内に前記遠隔コントロールシステムからデータ信号を受信しなかった場合、前記インアクティブモードに戻るよう構成される、請求項３５に記載のデバイス。
【請求項３７】
前記コントローラはさらに、前回のデータ信号を受信してから第３の所与の期間内に前記遠隔コントロールシステムから新たなデータ信号を受信しなかった場合、前記インアクティブモードに戻るよう構成される、請求項３６に記載のデバイス。
【請求項３８】
前記インジケータは少なくとも一つの視覚的インジケータを含む、請求項２９に記載のデバイス。
【請求項３９】
当該インベントリコントロールデバイスはサプライアイテムの在庫を保持するよう構成されたコンテナと結合される、請求項２９に記載のデバイス。
【請求項４０】
前記機能モジュールはさらに、前記コンテナに保持される前記在庫を表すデータを発信するよう構成される、請求項３９に記載のデバイス。
【請求項４１】
前記機能モジュールは、いつ前記コンテナからひとつ以上のサプライを取り出すか、または、いつ前記コンテナにひとつ以上のサプライを追加するかを示すために前記コントローラに接続された少なくともひとつのボタンをさらに備える、請求項３９に記載のデバイス。
【請求項４２】
前記機能モジュールは、前記コンテナからひとつ以上のサプライを取り出したこと、または、前記コンテナにひとつ以上のサプライを追加したことを示すデータを、在庫追跡を実行する外部のコンピュータシステムに発信するよう構成される、請求項４１に記載のデバイス。
【請求項４３】
インベントリコントロールデバイスにおいて電池電力を節約する方法であって、
遠隔コントロールシステムから関連エネルギ場を有する起動信号を第１アンテナで受信するステップと、
受信された起動信号を整流して直流電流（ＤＣ）電圧を形成するステップと、
前記ＤＣ電圧でキャパシタを充電するステップと、
前記キャパシタがしきい値電圧まで充電された場合、前記キャパシタだけから電力供給されたデバイスを用いてモード変更信号をコントローラに送信するステップと、を含み、
前記コントローラは、内蔵電源によって電力供給され、インアクティブモードとアクティブモードとを有し、前記コントローラは、前記インアクティブモードのときよりも前記アクティブモードのときのほうがより多くの電力を使用し、
前記コントローラが前記モード変更信号を受け取ることによって、前記コントローラは、前記アクティブモードに入り、聴覚的インジケータおよび視覚的インジケータの少なくともひとつを含むインジケータを作動させる、方法。
【請求項４４】
前記コントローラは、前記電源に接続された電力入力と、前記コントローラおよびトランシーバのうちの少なくともひとつと接続された電力出力とを有するスイッチを含み、
前記コントローラが前記モード変更信号を受け取ることは、前記スイッチが前記モード変更信号を受け取ることにより、前記スイッチが前記電源を前記コントローラおよび前記トランシーバのうちの少なくともひとつに接続させることを含む、請求項４３に記載の方法。
【請求項４５】
ひとつ以上の所与の条件が満たされた場合、前記コントローラを前記インアクティブモードに戻すステップをさらに含む、請求項４３に記載の方法。
【請求項４６】
前記ひとつ以上の所与の条件は、前記起動信号を受信してから第１の所与の期間内に前記遠隔コントロールシステムから前記インベントリコントロールデバイスを示すＩＤ信号を第２アンテナで受信しないことを含む、請求項４５に記載の方法。
【請求項４７】
前記ひとつ以上の所与の条件はさらに、前記ＩＤ信号を受信してから第２の所与の期間内に前記遠隔コントロールシステムからデータ信号を受信しないことを含む、請求項４６に記載の方法。
【請求項４８】
前記ひとつ以上の所与の条件はさらに、前回のデータ信号を受信してから第３の所与の期間内に前記遠隔コントロールシステムから新たなデータ信号を受信しないことを含む、請求項４７に記載の方法。